(57)【要約】【課題】フローリングの汚れを掃除するときは操作棒のモップヘッドに対する傾き角に自由度が有り、またカーペットに付着したペットの毛を取り除くために使用するときは操作棒のモップヘッドに対する傾き角が所定角度に固定できる両用モップを提供すること。【解決手段】連結構造３０は、モップヘッド１０の上面のブラケット３１と、第１の回動体３３と第２の回動体３４を有し、第１の回動体３３により操作棒２０をモップヘッド１０の短手方向の垂直面内に回動可能でありかつ第２の回動体３４により操作棒２０をモップヘッド１０の長手方向の垂直面内にも回動可能である二次元回動形継手３２と、操作棒２０に外嵌する第１の位置と、二次元回動形継手３２を覆い操作棒２０に外嵌するとともにブラケット３１に外嵌して操作棒２０をモップヘッド１０に対して所要の傾き角に固定する第２の位置と、の間を移動する筒状ロック部材３６と、を有する。【選択図】図１
2018198686.tif 000002
【特許請求の範囲】
【請求項１】
被清掃面に密着状態で摺動される長矩形のモップヘッドの上面部中央位置に、前記モップヘッドを前記被清掃面に対して摺動操作する操作棒を連結する連結構造であって、
前記モップヘッドの上面中央位置に設けられたブラケットと、
一端側を前記ブラケットに回動可能に連結された第１の回動体と、一端側を前記第１の回動体の他端側と回動可能に連結されかつ他端側を前記操作棒に固定された第２の回動体とを有し、前記第１の回動体により前記操作棒を前記モップヘッドの短手方向の垂直面内に回動可能でありかつ前記第２の回動体により前記操作棒を前記モップヘッドの長手方向の垂直面内にも回動可能である二次元回動形継手と、
前記操作棒の前記二次元回動形継手を避けた近傍位置に外嵌する第１の位置と、前記二次元回動形継手を覆い前記操作棒に外嵌するとともに前記ブラケットに外嵌することにより前記操作棒を前記モップヘッドに対して所要の傾き角に固定する第２の位置と、の間を移動する筒状ロック部材と、を有することを特徴とするモップヘッドと操作棒との連結構造。
【請求項２】
被清掃面に密着状態で摺動される長矩形のモップヘッドの上面部中央位置に、前記モップヘッドを前記被清掃面に対して摺動操作する操作棒を連結する連結構造であって、
前記モップヘッドの上面中央位置に設けられたブラケットと、
一端側を前記ブラケットに連結され前記モップヘッドの短手方向に回動可能であり他端側を前記操作棒に固定された回動体を有する一次元回動形継手と、
前記操作棒の前記一次元回動形継手を避けた近傍位置に外嵌する第１の位置と、前記一次元回動形継手を覆い前記操作棒に外嵌するとともに前記ブラケットに外嵌することにより前記操作棒を前記モップヘッドに対して所要の傾き角に固定する第２の位置との間を移動する筒状ロック部材と、を有することを特徴とするモップヘッドと操作棒との連結構造。
【請求項３】
前記操作棒の外面部に上側凹条部または上側凸条部が設けられているとともに、前記ブラケットの外面部に前記上側凹条部の周方向の位置と一致するよう下側凹条部または上側凸条部が設けられ、
前記筒状ロック部材の内面には、前記筒状ロック部材が前記第１の位置で前記上側凹条部または上側凸条部に嵌合される上側凸条部または上側凹条部と、前記筒状ロック部材が前記第２の位置で前記下側凹条部または下側凸条部に嵌合される下側凸条部または上側凸条部と、を有することを特徴とする請求項１または２に記載のモップヘッドと操作棒との連結構造。
【請求項４】
被清掃面に密着状態で摺動される長矩形のモップヘッドと、所要長さの操作棒と、請求項１ないし３のいずれかに１項に記載の連結構造を有するとともに、前記モップヘッドの下面に、全面にわたるよう複数の掃除用凸部が設けられ、
前記モップヘッドの下面に設けられた複数の前記掃除用凸部に被され、かつ前記モップヘッドの上面に重ねられる使い捨てペーパーの両端部を挟持するペーパー挟持具を、前記モップヘッドの上面部に備えたことを特徴とするモップ。
【請求項５】
複数の前記掃除用凸部は、正面方向より見てＷ形であり、かつＷ形の二つの谷間のある側が、前記筒状ロック部材が前記第２の位置にあるときの、前記操作棒の前記モップヘッドに対する傾斜側と一致していることを特徴とする請求項４に記載のモップ。
【請求項６】
前記モップヘッドは、合成樹脂成形体である上面側部材と、ゴム成形体である下面側部材とが組み合わされ、前記下面側部材の下面部に複数の前記掃除用凸部が設けられていることを特徴とする請求項４または５に記載のモップ。
【請求項７】
前記上面側部材は、周縁部にフランジ部を有し、前記下面側部材は、周縁部に環状溝を有し、前記環状溝に前記上面側部材の前記フランジ部を収容する被着部を有することを特徴とする請求項６に記載のモップ。
【請求項８】
前記ペーパー挟持具は、請求項７に記載の上面側部材に設けられた開口と、前記上面側部材の内面側の前記開口の周縁に固定され前記使い捨てペーパーを挟持する鋸刃状スリットを有する挟持用面状部を有することを特徴とする請求項４ないし７のいずれか１項に記載のモップ。
【発明の詳細な説明】
【技術分野】
【０００１】
本発明は、モップヘッドと操作棒との連結構造およびそれを備えたモップに関する。
【背景技術】
【０００２】
例えば、特許文献１に開示されたものは、フローリングの汚れを拭き取るフローリング用モップである。このフローリング兼カーペット用モップは、操作棒と、該操作棒の先端に取り付けられた拭き取り用の布または紙を装着するための装着ヘッドと、これらの装着ヘッドと操作棒とを連結する連結手段と、を備えている。このフローリング用モップは、装着ヘッドが、弾性部材により長方形をなす平板状に形成され、その長手方向に湾曲を助けるための少なくとも１本の折溝を有すると共に、幅方向の両端部に、巻き付けた拭き取り用の布または紙の両端部を係止させるための係止手段を有し、また連結手段が、操作棒による操作力を装着ヘッドのほぼ全長にわたり作用させ得る長さを持った細長い剛性部材を有する。さらに、このフローリング用モップは、該剛性部材が、装着ヘッドの上面に軸線を該装着ヘッドの長手方向に向けて固定され、該剛性部材に操作棒が傾動自在に枢着されている。
【０００３】
また、特許文献２に開示されたものは、カーペットに付着したペットの毛などを掻き集めて取り除くペット用毛取り具である。このペット用毛取り具は、やや固めのスポンジ材よりなる直方体形状の弾性体である本体と、本体の上面と側面の大部分を覆うように固着された軟質合成樹脂シート材よりなる被覆材と、本体下面に貼着された高摩擦係数を有する挟持用面状部よりなる高摩擦材と、高摩擦材下面に形成された連続凹掃除用凸部と、を有する構成である。このペット用毛取り具は、使用時は、被覆材で被覆された弾性体である本体の側面を指で掴み、連続凹掃除用凸部をペットの毛が付着した絨毯に軽く押し当てて一定方向にこすりつけることを何度も行うことにより、ペットの毛が連続凹掃除用凸部の凹部のなかで絡み合ってまとまり、まとまった毛を指でつまんで簡単に取り除くことができる。
【先行技術文献】
【特許文献】
【０００４】
【特許文献１】特開平０８−５２２号公報
【特許文献２】特開２００４−３１３１４０号公報
【発明の概要】
【発明が解決しようとする課題】
【０００５】
しかしながら、従来から、フローリング兼カーペット用のモップ（以下では、両用モップともいう。）の提供が要望されていたが、フローリングの汚れを拭き取るフローリング用モップと、カーペットに付着した毛などを掻き集めて取り除くカーペット用毛取り装置とは、以下に述べるような相違点があるため、別々に提供されてきた。
【０００６】
まず、特許文献１に開示されたフローリング用モップは、操作棒を押し引き方向に移動して拭き取り用の使い捨てペーパーでフローリング表面の汚れを拭き取るので、操作棒を押し出す方向に移動するときには装着ヘッドの下面がフローリングの面に密着するよう操作棒の装着ヘッドに対する傾斜角度が小さくなる方向に変化し、反対に、操作棒を引く方向に移動するときには操作棒の装着ヘッドに対する傾斜角度が大きくなる方向に変化する必要がある。このため、拭き取り用の布または紙を装着するための装着ヘッドの傾斜角度に自由度があることが必須である。すなわち、フローリング用モップでは、操作棒に対して装着ヘッドの傾斜角度に自由度があることが必須であり、このため、装着ヘッドと操作棒とを連結する連結手段が、装着ヘッドの上面に該装着ヘッドの長手方向に向けて固定された軸部材を有し、当該軸部材に回動可能に支持された操作棒が装着ヘッドの短手方向に傾動する構成となっている。
【０００７】
これに対して、特許文献２に開示されたペット毛取り具は、高摩擦材下面に形成された連続凹掃除用凸部をペットの毛が付着したカーペットに当てて手前に引くことを何度も繰り返すことにより、ペットの毛を取り除くことができる。このとき、連続凹掃除用凸部の全面がカーペットペットに密着した状態に高摩擦材を把持しフローリング用モップの場合に比べて強く押し当てて手前に引く必要があるので、立ち掃除を行うことができないから、大変疲れるので、特許文献１に開示されたフローリング用モップと同様に、操作棒を有するモップ形態のものが提供されることが望まれる、という問題点があった。
【０００８】
しかし、特許文献１に開示されたフローリング用モップの装着ヘッドの下面に、特許文献２に開示されたペット毛取り具の連続凹掃除用凸部を取付けることにより、ペット毛取り用にも適用可能なフローリング兼カーペット用モップとして構成したとしても、装着ヘッドと操作棒とを連結する連結手段があるので、連続凹掃除用凸部の全面がカーペットに密着した状態に保って操作棒を手前に引くことを何度も繰り返すことは難しい、という問題点があった。
【０００９】
また、装着ヘッドと操作棒とを連結する連結手段を設け装着ヘッドと操作棒とを固定連結し、装着ヘッドの下面に連続凹掃除用凸部を取付けることにより、ペット毛取り用にも適用可能なフローリング兼カーペット用モップとして構成したとしても、今度は、連結手段が固定連結手段であるものは特許文献１に開示されたフローリング用モップが操作性を欠いてしまう、という問題点があった。
【００１０】
本発明は、上述のような課題を解決するためになされたもので、フローリングの汚れを掃除するときは操作棒のモップヘッドに対する傾き角に自由度が有り、またカーペットに付着したペットの毛を取り除くために使用するときは操作棒のモップヘッドに対する傾き角が所定角度に固定できるフローリング兼カーペット用のモップを提供することを目的とする。
【課題を解決するための手段】
【００１１】
本願第１の発明に係るモップヘッドと操作棒との連結構造は、上記目的達成のため、被清掃面に密着状態で摺動される長矩形のモップヘッドの上面部中央位置に、前記モップヘッドを前記被清掃面に対して摺動操作する操作棒を連結する連結構造であって、前記モップヘッドの上面中央位置に設けられたブラケットと、一端側を前記ブラケットに回動可能に連結された第１の回動体と、一端側を前記第１の回動体の他端側と回動可能に連結されかつ他端側を前記操作棒に固定された第２の回動体とを有し、前記第１の回動体により前記操作棒を前記モップヘッドの短手方向の垂直面内に回動可能でありかつ前記第２の回動体により前記操作棒を前記モップヘッドの長手方向の垂直面内にも回動可能である二次元回動形継手と、前記操作棒の前記二次元回動形継手を避けた近傍位置に外嵌する第１の位置と、前記二次元回動形継手を覆い前記操作棒に外嵌するとともに前記ブラケットに外嵌することにより前記操作棒を前記モップヘッドに対して所要の傾き角に固定する第２の位置と、の間を移動する筒状ロック部材と、を有する構成である。
【００１２】
上記構成により、本願第１の発明に係る連結構造は、筒状ロック部材を第１の位置まで引き上げると、筒状ロック部材による二次元回動形継手の拘束が解かれ、操作棒のモップヘッドの長矩形平面の長手方向および短手方向にそれぞれ直角な面内に回動可能になり、フローリングの汚れを掃除する際に適する状態になる。また、筒状ロック部材を第２の位置に引き下げると、筒状ロック部材が二次元回動形継手を覆いブラケットに外嵌することにより、操作棒のモップヘッドの長矩形平面の長手方向および短手方向にそれぞれ直角な面内の回動がロックされ、かつ操作棒のモップヘッドに対する傾き角が所定角度に固定され、カーペットに付着したペットの毛を取り除くために使用する際に適する状態になる。
【００１３】
また、本願第２の発明に係るモップヘッドと操作棒との連結構造は、上記目的達成のため、被清掃面に密着状態で摺動される長矩形のモップヘッドの上面部中央位置に、前記モップヘッドを前記被清掃面に対して摺動操作する操作棒を連結する連結構造であって、前記モップヘッドの上面中央位置に設けられたブラケットと、一端側を前記ブラケットに連結され前記モップヘッドの短手方向に回動可能であり他端側を前記操作棒に固定された回動体を有する一次元回動形継手と、前記操作棒の前記一次元回動形継手を避けた近傍位置に外嵌する第１の位置と、前記一次元回動形継手を覆い前記操作棒に外嵌するとともに前記ブラケットに外嵌することにより前記操作棒を前記モップヘッドに対して所要の傾き角に固定する第２の位置との間を移動する筒状ロック部材と、を有する構成である。
【００１４】
上記構成により、本願第２の発明に係る連結構造は、筒状ロック部材を第１の位置まで引き上げると、筒状ロック部材による一次元回動形継手の拘束が解かれ、操作棒のモップヘッドの長矩形平面の長手方向に直角な面内に回動可能になり、フローリングの汚れを掃除する際に適する状態になる。また、筒状ロック部材を第２の位置に引き下げると、筒状ロック部材が一次元回動形継手を覆いブラケットに外嵌することにより、操作棒のモップヘッドの長矩形平面の長手方向に直角な面内の回動がロックされ、かつ操作棒のモップヘッドに対する傾き角が所定角度に固定され、カーペットに付着したペットの毛を取り除くために使用する際に適する状態になる。
【００１５】
本願いずれかの発明に係る連結構造は、前記操作棒の外面部に上側凹条部または上側凸条部が設けられているとともに、前記ブラケットの外面部に前記上側凹条部の周方向の位置と一致するよう下側凹条部または上側凸条部が設けられ、前記筒状ロック部材の内面には、前記筒状ロック部材が前記第１の位置で前記上側凹条部または上側凸条部に嵌合される上側凸条部または上側凹条部と、前記筒状ロック部材が前記第２の位置で前記下側凹条部または下側凸条部に嵌合される下側凸条部または上側凸条部と、を有する構成であることが好ましい。
【００１６】
この構成により、本願発明に係る連結構造は、筒状ロック部材が操作棒の周方向に回動不可であるので、筒状ロック部材が一直線上の第１の位置と第２の位置の間を円滑に移動することができて、フローリングの汚れを掃除する際に適する状態と、カーペットに付着したペットの毛を取り除くために使用する際に適する状態とに切替える操作が容易に行える。
【００１７】
本発明に係るモップは、被清掃面に密着状態で摺動される長矩形板ブロック形状のモップヘッドと、所要長さの操作棒と、上記いずれかの連結構造を有するとともに、前記モップヘッドの下面に、全面にわたるよう複数の掃除用凸部が設けられ、前記モップヘッドの下面に設けられた複数の前記掃除用凸部に被され、かつ前記モップヘッドの上面に重ねられる使い捨てペーパーの両端部を挟持するペーパー挟持具を、前記モップヘッドの上面部に備えた構成である。
【００１８】
この構成により、本発明に係るモップは、フローリング表面の汚れを掃除する際には、使い捨てペーパーを複数の掃除用凸部に被せられ、かつペーパー両端部をモップヘッドの上面に重ねられるペーパー挟持具に挟持された状態にされるとともに、筒状ロック部材を第１の位置まで引き上げて位置停止される筒状ロック部材による二次元回動形継手または一次元回動形継手の拘束が解かれた状態にされると、操作棒のモップヘッドの長矩形平面の長手方向に直角な面内に回動可能になる。そこで、操作棒を押し引き方向に移動して使い捨てペーパーでフローリングの汚れを拭き取るようにすると、操作棒を押し出す方向に移動するときにはモップヘッドの下面がフローリングの面に密着するよう操作棒のモップヘッドに対する傾斜角度が小さくなる方向に変化し、反対に、操作棒を引く方向に移動するときには操作棒のモップヘッドに対する傾斜角度が大きくなる方向に変化し、もってフローリングの汚れを掃除する際に適する状態になる。
【００１９】
また、カーペットに付着したペットの毛を取り除くために使用する際には、使い捨てペーパーを使用せず、筒状ロック部材を第２の位置に引き下げると、筒状ロック部材が二次元回動形継手または一次元回動形継手を覆いブラケットに外嵌することにより、操作棒のモップヘッドに対する回動がロックされ、かつ操作棒のモップヘッドに対する傾き角が所定角度に固定される。このため、カーペットに付着したペットの毛を取り除く掃除をする際に適する状態になる。そこで、操作棒の柄部（上端部）と中間部を両手で掴んでモップヘッドをカーペットに当てがい、モップヘッドをカーペットに全面密着した状態を保つようにして操作棒を引き方向に移動し、持ち上げて元位置に戻すことを繰り返す反復動作を容易に行うことができて、ペットの毛を取り除くことができる。
【００２０】
本発明に係るモップは、複数の前記掃除用凸部が、正面方向より見てＷ形であり、かつＷ形の二つの谷間のある側が、前記筒状ロック部材が前記第２の位置にあるときの、前記操作棒の前記モップヘッドに対する傾斜側と一致している構成とするのが好ましい。
【００２１】
この構成により、本発明に係るモップは、カーペットに付着したペットの毛を取り除くために使用する際には、使い捨てペーパーを使用せず、操作棒の柄部（上端部）と中間部を両手で掴んでモップヘッドをカーペットに当てがい、モップヘッドをカーペットに全面密着した状態を保つようにして操作棒を引き方向に移動し、持ち上げて元位置に戻すことを繰り返すと、各掃除用凸部がＷ形の二つの谷間のある側が掻き集める機能を奏し、ペットの毛を効果的に取り除くことができる。
【００２２】
本発明に係るモップは、前記モップヘッドが、合成樹脂成形体である上面側部材と、ゴム成形体である下面側部材とが組み合わされ、前記下面側部材の下面部に複数の前記掃除用凸部が設けられている構成とするのが好ましい。
【００２３】
この構成により、本発明に係るモップは、合成樹脂成形体である上面側部材が保持材となって、複数の掃除用凸部を有するゴム成形体である下面部材を安定した長矩形状に保持することができる。
【００２４】
本発明に係るモップは、前記上面側部材が、周縁部にフランジ部を有し、前記下面側部材は、周縁部に環状溝を有し、前記環状溝に前記上面側部材の前記フランジ部を収容する被着部を有する構成とするのが好ましい。
【００２５】
この構成により、本発明に係るモップは、下面側部材が上面側部材から離脱しないように、上面側部材が下面側部材の長矩形環状の周縁部を保持することができる。
【００２６】
本発明に係るモップは、前記ペーパー挟持具は、請求項７に記載の上面側部材に設けられた開口と、前記上面側部材の内面側の前記開口の周縁に固定され前記使い捨てペーパーを挟持する鋸刃状スリットを有する挟持用面状部を有する構成とするのが好ましい。
【００２７】
この構成により、本発明に係るモップは、上面側部材と下面側部材との間のギャップを利用して、省スペースで簡素な構成でペーパー挟持具を設けることができる。
【発明の効果】
【００２８】
本発明によれば、フローリングの汚れを掃除するときは操作棒のモップヘッドに対する傾き角に自由度が有り、またカーペットに付着したペットの毛を取り除くために使用するときは操作棒のモップヘッドに対する傾き角が所定角度に固定できるモップヘッドと操作棒との連結構造およびフローリング兼カーペット用のモップを提供することができる。
【図面の簡単な説明】
【００２９】
【図１】本発明の一実施の形態に係るフローリング兼カーペット用のモップ（両用モップ）に係り、図１（Ａ）は、使い捨てペーパーを用い、フローリングの表面の汚れを拭い取るところを示す斜視図であり、図１（Ｂ）は、使い捨てペーパーを使用せず、モップヘッドをカーペットに押し当てペットの毛を掻き集めて取り去るところを示す斜視図である。
【図２】本発明の一実施の形態に係る両用モップに係り、使い捨てペーパーを用い、フローリングの表面の汚れを拭い取るところを示す要部拡大斜視図である。
【図３】本発明の一実施の形態に係る両用モップに係り、使い捨てペーパーを使用せず、モップヘッドをカーペットに押し当てペットの毛を掻き集めて取り去るところを示す要部拡大斜視図である。
【図４】本発明の一実施の形態に係る両用モップに係り、図４（Ａ）は、図３の状態で操作棒の傾斜側から見た正面図である。図４（Ｂ）は図４（Ａ）中のＩＶ−ＩＶ断面図である。
【図５】本発明の一実施の形態に係る両用モップに係り、図５（Ａ）は、使い捨てペーパーを用い、フローリングの表面の汚れを拭い取るところを示す要部拡大縦断面図であり、図５（Ｂ）は、使い捨てペーパーを使用せず、モップヘッドをカーペットに押し当てペットの毛を掻き集めて取り去るところを示す要部拡大縦断面図である。
【図６】本発明の実施の形態に係る両用モップの操作棒を構成する連結用筒体に係り、図６（Ａ）は連結用筒体の正面図、図６（Ｂ）は図６（Ａ）における中央縦断面図である。
【図７】本発明の実施の形態に係る両用モップに係り、フローリングの表面の汚れを拭い取るところを示す斜視図である。
【図８】図７におけるＶＩＩＩ−ＶＩＩＩ断面図である。
【図９】図７におけるＩＸ−ＩＸ矢視図である。
【図１０】本発明の実施の形態に係る両用モップの連結構造の二次元回動形継手を構成する第１の回動体に係り、図１０（Ａ）は正面図であり、図１０（Ｂ）は図１０（Ａ）の中央縦断面図である。
【図１１】本発明の実施の形態に係る両用モップの連結構造の二次元回動形継手を構成する第２の回動体に係り、図１１（Ａ）は正面図であり、図１１（Ｂ）は縦断正面図であり、図１１（Ｃ）は図１１（Ａ）の中央縦断面図である。
【図１２】本発明の実施の形態に係る両用モップの連結構造を構成する筒状ロック部材に係り、図１２（Ａ）は前側から見た斜視図であり、図１２（Ｂ）は後側から見た斜視図であり、図１２（Ｃ）は、図１２（Ａ）におけるＸＩＩｃ−ＸＩＩｃ断面図であり、図１２（Ｄ）は、図１２（Ａ）におけるＸＩＩｄ−ＸＩＩｄ断面図である。
【図１３】本発明の実施の形態に係る両用モップに係り、フローリングの狭小な個所の表面の汚れを拭い取るところを示す斜視図である。
【図１４】本発明の他の実施の形態に係る両用モップを示す斜視図である。
【発明を実施するための形態】
【００３０】
以下、本発明の実施の形態に係るフローリング兼カーペット用のモップ（両用モップ）について図面を参照して説明し、同時にこの説明を通じて、本発明の実施の形態に係る両用モップを構成するモップヘッドと操作棒との連結構造について説明する。
【００３１】
［第１の実施の形態］
図１に示すように、本実施の形態に係る両用モップ１は、被清掃面に密着状態で摺動されるモップヘッド１０と、所要長さの操作棒２０と、モップヘッド１０の上面部中央位置に操作棒２０を回動可能および所要傾斜状態にロック可能に連結する連結構造３０と、を有する。
【００３２】
図１（Ａ），図２に示すように、両用モップ１は、フローリングの汚れを掃除するときに、筒状ロック部材３６を引き上げると、二次元回動形継手３２の動作が自由になり、モップヘッド１０に使い捨てペーパーＰを取付け、被清掃面であるフローリングに使い捨てペーパーＰを密着させ、矢印Ａのように前後させてフローリングの表面の汚れを拭い取ることができる。
【００３３】
また、図１（Ｂ），図３に示すように、カーペットに付着したペットの毛を取り除くために使用するときに、筒状ロック部材３６を引き下げると、二次元回動形継手３２の動作にロックがかかり、操作棒のモップヘッドに対する傾き角θを所定角度に固定でき使い捨てペーパーＰを使用せず、モップヘッド１０の掃除用凸部１２ｄをカーペットに押し当て、鉛直面内に矢印Ｂのようにボックスモーションさせてカーペットに付着しているペットの毛を掻き集め、取り去ることができる。なお、図１（Ｂ），図３に示す状態で、使い捨てペーパーＰを取付け、フローリングの表面の汚れを拭い取ることを妨げるものではない。
【００３４】
モップヘッド１０は、この実施の形態では、例えばＡＢＳ樹脂よりなる合成樹脂成形体であり連結構造３０と連結される上面側部材１１と、例えば合成ゴムよりなるゴム成形体であり下面より一体に突出する複数の掃除用凸部１２ｄを有する下面側部材１２とが組み合わされている。
【００３５】
図７，図８，図９に示すように、上面側部材１１は、長矩形の上面部の周囲に矩形環状のフランジ部１１ａを有する。フランジ部１１ａは、下方に延在するリブ１１ｂを有する断面アングル上に形成され、上面部よりも低い位置に形成されている。
【００３６】
上面側部材１１は、上面部中央に角錐状に隆起する台座部１１ｃを有し、台座部１１ｃの上面にブラケット３１を有する。ブラケット３１は、一対のブラケットリブ３１ａを有する。一対のブラケットリブ３１ａは、台座部１１ｃと一体に設けられ、かつ、上面側部材１１の短手方向より見て門形に対向して立ち上っていて、各対向面に軸受用凹部３１ｂを有し、各外側面に下側凹条部３１ｃを有する。
【００３７】
上面側部材１１は、モップヘッド１０の上面部の長手方向および短手方向に分散して設けられた４つの長矩形の開口１１ｄのそれぞれに強く嵌着されたペーパー挟持具４０を有している。各ペーパー挟持具４０は、この実施の形態では、例えばＥＶＡ樹脂などの軟質な合成樹脂成形体である矩形の挟持用面状部４１と、挟持用面状部４１の幅中央にかつ長手方向に形成された鋸刃状スリット４２と、挟持用面状部４１の周囲に一段低くなる段差を有して形成された鍔部４３と、を有する。各ペーパー挟持具４０は、開口１１ｄに対して下側から挟持用面状部４１が嵌着され、かつ、挟持用面状部４１の上面が上面側部材１１の上面部と面一とされ、鍔部４３が開口１１ｄに周縁に当接している。
【００３８】
下面側部材１２は、面状部１２ａと、面状部１２ａの周縁部に被着部１２ｂを有する。面状部１２ａは、上面側部材１１のフランジ部１１ａの輪郭に対応する長矩形であり、かつ、周縁部が上面側部材１１のリブ１１ｂに当接している。被着部１２ｂは、面状部１２ａの上面側で内向きの環状溝１２ｃを有し、当該環状溝１２ｃにフランジ部１１ａを収容するようにして、上面側部材１１のフランジ部１１ａを覆うよう強制的に外嵌されている。
【００３９】
図４に示すように、下面側部材１２は、面状部１２ａの下面全面より一体に突出する複数の掃除用凸部１２ｄを有する。複数の掃除用凸部１２ｄは、正面方向（突出方向に対向する方向）より見てＷ形であり、千鳥状に配設されている。各掃除用凸部１２ｄのＷ形の向きは、Ｗ形の二つの谷間１２ｅのある側が、筒状ロック部材３６が第２の位置にあるときの、操作棒２０のモップヘッド１０に対する傾斜側と一致している。掃除用凸部１２ｄがＷ形に形成されていて、かつ、向きが上記のようにしてあるのは、図１（Ｂ）に示すように、両用モップ１をカーペットに押付けてボックスモーションＢを行ったときにカーペットに付着しているペットの毛を絡み取り易くなるからである。
【００４０】
図１，図２，図５に示すように、操作棒２０は、操作棒本体２１と、操作棒本体２１の上端に外嵌されたグリップ部２２と、操作棒本体２１の下端に内嵌され連結用筒体２３と、を有する。
【００４１】
操作棒本体２１は、アルミニウム製、鋼製、ステンレス製、合成樹脂製のいずれか１種の管状であり、例えば１ｍの長さを有する。グリップ部２２は、この実施の形態では、例えばポリプロピレンなどの合成樹脂成形体であり、操作棒本体２１にクリアランスを小さくして例えば１０ｃｍ位の長さを有して外嵌し操作棒本体２１から容易に引き抜けないように取付けられている。連結用筒体２３は、合成樹脂成形体であり、操作棒本体２１から容易に引き抜けないように取付けられている。
【００４２】
図５，図６に示すように、連結用筒体２３は、筒状に形成され、筒軸方向の中央よりも上側外面に短尺な段差部２３ａを有し、段差部２３ａより上側が段差部２３ａよりも僅かに外径が小さく形成された上側筒部２３ｂと、段差部２３ａより下側が段差部２３ａよりも僅かに外径が小さく形成された下側筒部２３ｃと、に区分されている。上側筒部２３ｂは操作棒本体２１の下端より内嵌し、下側筒部２３ｃは二次元回動形継手３２の第２の回動体３４に上端より内嵌している。
【００４３】
連結用筒体２３は、段差部２３ａ付近の周面の一側にロック部２３ｄを有する。ロック部２３ｄは、Ｕ形のスリットにより片持ち梁状に形成された可撓性を有するアーム部２３ｅと、アーム部２３ｅの外面張出端に突設されたロック用突起２３ｆと、を有する。さらに、連結用筒体２３は、下端部の両側に一対の位置決め用スリット２３ｇを有している。一対の位置決め用スリット２３ｇは、下側筒部２３ｃの下端面の直径を通り対向する２つの位置に、下端面より軸方向に延在し奥行端が半円状に形成されている。
【００４４】
連結用筒体２３は、下側筒部２３ｃが連結構造３０の第２の回動体３４に内嵌される際に、先に位置決め用スリット２３ｇが第２の回動体３４に設けられた位置決め用凸部３４ｉに嵌合し、後から、ロック用突起２３ｆがロック用開口３４ｅに嵌合して第２の回動体３４から離脱不能になり、また、ロック用突起２３ｆを外方からロック用開口３４ｅの内側まで押し込んで操作棒２０を引き抜くようにすると、第２の回動体３４から解離されるようになっている。これにより、操作棒２０は、連結構造３０に対して組立および分離が行える。
【００４５】
図２，図５に示すように、連結構造３０は、上面側部材１１の台座部１１ｃ上に一体に設けられたブラケット３１と、二次元回動形継手３２と、筒状ロック部材３６と、を有する。連結構造３０を構成するこれら部材は、合成樹脂成形体である。
【００４６】
二次元回動形継手３２は、一端側をブラケット３１に回動可能に連結された第１の回動体３３と、一端側を第１の回動体３３の他端側と回動可能に連結されかつ他端側を操作棒２０の連結用筒体２３と嵌合されロックされた第２の回動体３４と、を有する。
【００４７】
二次元回動形継手３２は、第１の回動体３３により操作棒２０をモップヘッド１０の短手方向の垂直面内に回動可能であり、かつ第２の回動体３４により操作棒２０をモップヘッド１０の長手方向の垂直面内にも回動可能である。
【００４８】
図１０に示すように、第１の回動体３３は、Ｕ形アーム部３３ａと、Ｕ形アーム部３３ａの両端の各外面部より突出する軸部３３ｂと、Ｕ形アーム部３３ａの両端の各内面部より突出する位置決め突起３３ｃを有する。
【００４９】
図５に示すように、第１の回動体３３は、一対の軸部３３ｂが、二枚のリブよりなる門形のブラケットリブ３１ａの各対向面側に設けられた円形凹部に嵌合されていることにより、モップヘッド１０の短手方向に回動可能に設けられている。Ｃ形カラーリング３５は、ブラケット３１の二枚のリブ間で両側の位置決め突起３３ｃに外嵌されている。Ｃ形カラーリング３５は、リブ間が狭まることで軸部３３ｂがブラケット３１の各対向面側に設けられた円形凹部から離脱することを防止する。
【００５０】
図１１に示すように、第２の回動体３４は、一端に二股状に形成されたヒンジ部３４ａと、ヒンジ部３４ａより他端側が筒状に形成された筒状部３４ｂと、を有する。第２の回動体３４は、ヒンジ部３４ａのギャップ幅の中心を通る面のヒンジ部３４ａの二股ギャップの奥行端より奥方向に延在するように形成されたスリット３４ｃを有することにより、二股状のヒンジ部３４ａのギャップ幅を広げることができ、二股状のヒンジ部３４ａの各対向面より突出された軸部３４ｄを第１の回動体３３のＵ形アーム部３３ａ内側に半円形湾部に係合されている。これにより、第２の回動体３４は、第１の回動体３３のモップヘッド１０の長手方向に回動可能に設けられている。
【００５１】
第２の回動体３４は、筒状部３４ｂにロック用開口３４ｅと、上昇停止突起３４ｆと、上側凹条部３４ｇと、上述した位置決め用凸部３４ｉと、を有する。ロック用開口３４ｅは、既述したように、連結用筒体２３のロック部２３ｄを構成するロック用突起２３ｆと嵌合する（図５参照）。上昇停止突起３４ｆは、ロック用開口３４ｅを避けた位置、ここではロック用開口３４ｅの反対側の外面より突出位置されている。上側凹条部３４ｇは、スリット３４ｃに一致して筒状部３４ｂの外面に設けられている。
【００５２】
なお、軸部３３ｂと軸部３４ｄは、Ｕ形アーム部３３ａまたはヒンジ部３４ａと分離した構成であってもよいが、上記のようにＵ形アーム部３３ａまたはヒンジ部３４ａと一体であることにより、部品点数が少なく組付け工数が少なくなり、コスト低減に結びつく。
【００５３】
図１２に示すように、筒状ロック部材３６は、下半部が、ブラケット３１に第１の回動体３３に離脱可能に外嵌する角筒部３６ａとして形成され、上半部が、第２の回動体３４にスライド可能に外嵌する円筒部３６ｂとして形成された異形筒形状の合成樹脂成形体である。
【００５４】
角筒部３６ａの端面３６ｃは、筒軸に垂直な面に対し所要角度傾いた平面上に存在するように設けられ、筒状ロック部材３６が二次元回動形継手３２に被されるときに、モップヘッド１０の上面部中央の台座部１１ｃに着座し筒軸とモップヘッド１０の上面部との交差角（＝傾き角θ）が４０度から７０度の範囲で決定された角度に保たれる機能を有する。
【００５５】
角筒部３６ａの端面の傾斜辺に対応した両側の内面に、端面より内方へ筒軸方向に延びる２つの下側凸条部３６ｅを有する。２つの下側凸条部３６ｅは、筒状ロック部材３６が二次元回動形継手３２に被されるときに、モップヘッド１０の上面部との交差角が４０度から７０度の範囲で決定された角度となるように各ブラケットリブ３１ａの外面に凹設された下側凹条部３１ｃに離脱可能に嵌合するようになっている。なお、下側凸条部３６ｅと下側凹条部３１ｃとの凹凸関係が逆転していてもよい。すなわち、下側凸条部３６ｅを下側凹条部に、下側凹条部３１ｃを下側凸条部となるように設けてもよい。
【００５６】
円筒部３６ｂは、内面の両側部に２つの上側凸条部３６ｄを有する。２つの上側凸条部３６ｄは、周方向位置が角筒部３６ａの内面に設けられた２つの下側凸条部３６ｅに対応していて、端面より内方へ筒軸方向に延びている。２つの上側凸条部３６ｄは、筒状ロック部材３６が第２の位置にあるときは、スリット３４ｃ内に位置し、筒状ロック部材３６が第１の位置に引き上げられるときに、上側凹条部３４ｇに嵌合するようになっている。なお、上側凸条部３６ｄと上側凹条部３４ｇとの凹凸関係が逆転していてもよい。すなわち、上側凸条部３６ｄを上側凹条部に、上側凹条部３４ｇを上側凸条部となるように設けてもよい。
【００５７】
円筒部３６ｂは、上端より下方へ向かう２つのスリットによりスリット間に形成された片持ちアーム部３６ｆの上端の内面部に突設された係止突起３６ｇを有する。この係止突起３６ｇは、筒状ロック部材３６が第１の位置に引き上げられ上昇停止突起３４ｆに当接するときに、第２の回動体３４の上昇停止突起３４ｆの下側近傍に設けられた係止凹部３４ｈに嵌合するようになっている。これにより、筒状ロック部材３６が第１の位置に停止されるようになっている。
【００５８】
図２，図３に示すように、筒状ロック部材３６は、引き上げられ状態に位置する第１の位置と、引き下げられ状態に位置する第２の位置と、を移動するように設けられている。
【００５９】
筒状ロック部材３６が第１の位置にあるとき、筒状ロック部材３６による二次元回動形継手３２を回動の拘束が解かれる。この状態で、モップヘッド１０に使い捨てペーパーＰを巻き付け、フローリングの汚れを拭き取る。
【００６０】
また、筒状ロック部材３６が第２の位置にあるとき、筒状ロック部材３６の角筒部３６ａが二次元回動形継手３２に被さり、角筒部３６ａの端面３６ｃが台座部１１ｃに当接するとともに、ブラケット３１に外嵌し、円筒部３６ｂが操作棒２０に外嵌しているようになっている。これにより、操作棒２０をモップヘッド１０に対する傾き角θ（図３参照）は、筒状ロック部材３６の下端面の傾斜角度に一致する。
【００６１】
傾き角θは、例えば４０度ないし７０度の範囲内で適宜の角度に決定して差し支えないが、操作棒２０を掴んでモップヘッド１０をカーペットに押付ける力が最大となるように力学的および人間工学的な観点で決定される角度とするのが好ましい。
【００６２】
次に、本実施の形態に係る両用モップ１および連結構造３０についての作用、効果について、図１ないし図１３を参照して説明する。
【００６３】
本実施の形態に係る連結構造３０は、筒状ロック部材３６が操作棒２０の周方向に回動不可であるので、筒状ロック部材３６が一直線上の第１の位置と第２の位置の間を円滑に移動することができて、フローリングの汚れを掃除する際に適する状態と、カーペットに付着したペットの毛を取り除くために使用する際に適する状態とに切替える操作が容易に行える。
【００６４】
本発明に係る両用モップ１は、フローリングの表面の汚れを掃除する際には、使い捨てペーパーＰを複数の掃除用凸部１２ｄに被せられ、かつペーパー両端部をモップヘッド１０の上面に重ねられるペーパー挟持具４０に挟持された状態になるとともに、筒状ロック部材３６を第１の位置まで引き上げてロックされる筒状ロック部材３６による二次元回動形継手３２のロックが解かれた状態になると、操作棒２０のモップヘッド１０の長矩形平面の長手方向に直角な面内に回動可能になる。そこで、操作棒２０を押し引き方向に移動して使い捨てペーパーＰでフローリングの汚れを拭き取るようにすると、操作棒２０を押し出す方向に移動するときにはモップヘッド１０の下面がフローリングの面に密着するよう操作棒２０のモップヘッド１０に対する傾斜角度が小さくなる方向に変化し、反対に、操作棒２０を引く方向に移動するときには操作棒２０のモップヘッド１０に対する傾斜角度が大きくなる方向に変化し、もってフローリングの汚れを掃除する際に適する状態になる。
【００６５】
特に、この実施の形態では、連結構造３０に二次元回動形継手３２を採用しているので、例えば机の下の脚の周りなどの拭き取り掃除をする際に、狭いところを拭き取るときは、図１３に示すように、モップヘッド１０の長手方向を操作棒２０の方向に一致させて矢印Ｃのように往復させて拭き取り掃除をすることができる。この際、二次元回動形継手３２の第１の回動体３３を横位置から立ち上げるように回動されると、真上位置で軸部３３ｂが図示しない突起に当接しブラケット３１に停止されるようになっているので、第１の回動体３３が垂直に立ち上がって状態で、第２の回動体３４が鉛直面内を回動可能なので、操作棒２０をモップヘッド１０の長手方向に一致させて上下方向に回動が補償され、モップヘッド１０をフローリングに密着させて操作棒２０を前後させて拭き取る掃除がやり易い。
【００６６】
また、カーペットに付着したペットの毛を取り除くために使用する際には、使い捨てペーパーＰを使用せず、筒状ロック部材３６を第２の位置に引き下げると、筒状ロック部材３６が二次元回動形継手３２を覆いブラケット３１に外嵌することにより、操作棒２０のモップヘッド１０に対しモップヘッド１０の長手方向および短手方向の回動がロックされ、かつモップヘッド１０の操作棒２０に対する傾き角θを所定角度に固定される。このため、カーペットに付着したペットの毛を取り除く掃除する際に適する状態になる。そこで、操作棒２０の柄部（上端部）と中間部を両手で掴んでモップヘッド１０をカーペットに当てがい、モップヘッド１０をカーペットに全面密着した状態を保つようにして操作棒２０を引き方向に移動し、持ち上げて元位置に戻すことを繰り返す反復動作を容易に行うことができて、ペットの毛を取り除くことができる。
【００６７】
本実施の形態に係る両用モップ１は、ペーパー挟持具４０を備えたので、フローリングの表面の汚れを掃除する際には、使い捨てペーパーＰをモップヘッド１０の下面部に当てがい複数の掃除用凸部１２ｄに被せ、かつペーパー両端部をモップヘッド１０の上面に重ねられる使い捨てペーパーＰの両端部をペーパー挟持具４０が挟持した状態とし、操作棒２０を押し引きすると、使い捨てペーパーＰでフローリングの表面の汚れを拭き掃除することができる。
【００６８】
また、本実施の形態に係る両用モップ１は、各掃除用凸部１２ｄが、正面方向より見てＷ形であり、かつＷ形の二つの谷間１２ｅのある側が、筒状ロック部材３６が第２の位置にあるときの、操作棒２０のモップヘッド１０に対する傾斜側と一致しているので、カーペットに付着したペットの毛を取り除くために使用する際には、使い捨てペーパーＰを使用せず、操作棒２０の柄部（上端部）と中間部を両手で掴んでモップヘッド１０をカーペットに当てがい、モップヘッド１０をカーペットに全面密着した状態を保つようにして操作棒２０を引き方向に移動し、持ち上げて元位置に戻すことを繰り返すと、各掃除用凸部１２ｄがＷ形の二つの谷間１２ｅのある側が掻き集める機能を奏し、ペットの毛を効果的に取り除くことができる。
【００６９】
また、本実施の形態に係る両用モップ１は、モップヘッド１０が、合成樹脂成形体である上面側部材１１と、ゴム成形体である下面側部材１２とが組み合わされ、下面側部材１２に複数の掃除用凸部１２ｄが一体に成形されているので、上面側部材１１が保持材となって、下面側部材１２を安定した長矩形状に保持することができる。
【００７０】
さらに、本実施の形態に係る両用モップ１は、上面側部材１１がフランジ部１１ａを有し、下面側部材１２が、被着部１２ｂを有するので、下面側部材１２が上面側部材１１から離脱しないように、上面側部材１１が下面側部材１２の長矩形環状の被着部１２ａを保持することができる。
【００７１】
さらにまた、本実施の形態に係る両用モップ１は、ペーパー挟持具４０が、開口１１ｄと、鋸刃状スリット４２を有する挟持用面状部を備えているので、上面側部材１１と下面側部材１２との間のギャップを利用して、省スペースで簡素な構成でペーパー挟持具４０を設けることができる。
【００７２】
［第２の実施の形態］
続いて、本発明の第２の実施の形態に係るフローリング兼カーペット用のモップ（両用モップ）について図１４を参照して説明し、同時にこの説明を通じて、本発明の実施の形態に係る両用モップを構成するモップヘッドと操作棒との連結構造について説明する。
【００７３】
第２の実施の形態に係る両用モップ１Ａは、第１の実施の形態に係る両用モップ１の必須構成要素である二次元回動形継手３２について、一次元回動形継手５０に交換したことだけが構成上の相違点である。なお、第２の実施の形態に係る両用モップの構成要素について、第１の実施の形態に係る両用モップの構成要素と同一のものは同一符号を付けて同一の構成については説明を省略する。
【００７４】
図１４に示すように、本実施の形態に係る両用モップ１Ａは、被清掃面に密着状態で摺動される上面側部材１１と下面側部材１２とが組み合わされたモップヘッド１０と、所要長さの操作棒２０と、モップヘッド１０と操作棒２０との連結構造３０Ａを有するとともに、下面側部材１２の下面に、全面にわたるよう複数の掃除用凸部１２ｄが設けられ、上面側部材１１の上面にペーパー挟持具４０を備えている。
【００７５】
連結構造３０Ａは、モップヘッド１０の上面中央位置に設けられたブラケット３１と、一次元回動形継手５０と、引き上げられて一次元回動形継手５０のロックを開放して停止する位置と引き下げられて一次元回動形継手５０をロックする位置との間を移動され位置固定される筒状ロック部材３６Ａと、を有する。
【００７６】
一次元回動形継手５０は回動体５１を有する。回動体５１は、第１の実施の形態の第１の回動体３３に対応する下側部分５１ａと、第１の実施の形態の筒状部３４ｂに対応する上側部分５１ｂとが一体化した形状である。筒状ロック部材３６Ａは、第１の位置に引き上げられるとき、下側部分５１ａを露出するようになっている。
【００７７】
本実施の形態に係る両用モップ１Ａの作用、効果は、第１の実施の形態に係る両用モップ１の作用、効果と略同一である。相違点は、一次元回動形継手５０を用いているので、ローリングの汚れを掃除する際に、二次元回動形継手３２で行うことができる図１３に示すような清掃形態にはならない。
【００７８】
本発明によれば、本発明は、上述のような課題を解決するためになされたもので、フローリングの汚れを掃除するときは操作棒のモップヘッドに対する傾き角に自由度が有り、またカーペットに付着したペットの毛を取り除くために使用するときは操作棒のモップヘッドに対する傾き角が所定角度に固定できるという効果を有し、フローリング兼カーペット用のモップの全般に優れる。
【符号の説明】
【００７９】
１，１Ａ  両用モップ（フローリング兼カーペット用のモップ）
１０  モップヘッド
１１  上面側部材
１１ａ  フランジ部
１１ｄ  開口
１２  下面側部材
１２ｂ  被着部
１２ｃ  環状溝
１２ｄ  掃除用凸部
１２ｅ  谷間
２０  操作棒
３０，３０Ａ  連結構造
３１  ブラケット
３１ｃ  下側凹条部
３２  二次元回動形継手
３３  第１の回動体
３４  第２の回動体
３４ｇ  上側凹条部
３６  筒状ロック部材
３６ｄ  上側凸条部
３６ｅ  下側凸条部
４０  ペーパー挟持具
４１  挟持用面状部
４２  鋸刃状スリット
５０  一次元回動形継手
５１  回動体
Ｐ  使い捨てペーパー
θ  傾き角
【図１】
2018198686.tif 000003
【図２】
2018198686.tif 000004
【図３】
2018198686.tif 000005
【図４】
2018198686.tif 000006
【図５】
2018198686.tif 000007
【図６】
2018198686.tif 000008
【図７】
2018198686.tif 000009
【図８】
2018198686.tif 000010
【図９】
2018198686.tif 000011
【図１０】
2018198686.tif 000012
【図１１】
2018198686.tif 000013
【図１２】
2018198686.tif 000014
【図１３】
2018198686.tif 000015
【図１４】
2018198686.tif 000016